(57)【要約】【課題】時分割マルチプルアクセス（ＴＤＭＡ）方式による通信方式によって基地局と通信可能なモバイル端末装置におけるタイムスロットの動作設定の自由度を向上すること。【解決手段】ＲＦアナログ信号処理集積回路３００は、タイムスロットの動作設定をひとつのタイムスロットをひとつの設定単位として実行する第１の動作モードＦＯＰＭＯＤと、タイムスロットの動作設定を複数のタイムスロットをひとつの設定単位として実行する第２の動作モードＦＯＰＭＯＤとを有する。どちらに設定するかは、初期化時、モード設定時もしくはタイムスロット設定のための命令中のビット情報によって決定できる。【選択図】図６
2007134928.tif 000002
【特許請求の範囲】
【請求項１】
複数のタイムスロットのそれぞれのタイムスロットを、アイドル状態と、基地局からの受信動作と、前記基地局への送信動作とのいずれかに設定可能である時分割マルチプルアクセスによる通信方式によって前記基地局と通信可能なモバイル端末装置に搭載可能なベースバンドディジタル信号処理を行う第１のユニットと電気的に接続可能でありＲＦアナログ信号処理を行うとともに前記モバイル端末装置に搭載可能な第２のユニットとしてのＲＦアナログ信号処理ユニットであって、
前記第１のユニットから供給される情報に応答してひとつのタイムスロットをひとつの設定単位としてタイムスロットの設定動作を実行する第１の動作モードと、
前記第１のユニットから供給される情報に応答して複数のタイムスロットをひとつの設定単位としてタイムスロットの設定動作を実行する第２の動作モードとを有し、
前記第１の動作モードと前記第２の動作モードとのいずれにも選択的に設定可能であるＲＦアナログ信号処理ユニット。
【請求項２】
ベースバンドディジタル信号処理を行う前記第１のユニットからの前記第１の動作モードのために供給される前記情報と前記第２の動作モードのために供給される前記情報とを受信するインターフェースを有する請求項１記載のＲＦアナログ信号処理ユニット。
【請求項３】
ベースバンドディジタル信号処理を行う前記第１のユニットからの前記第２の動作モードのために前記インターフェースを介して供給される前記情報としての前記タイムスロットの設定動作のための命令コードと命令実行のための制御情報とを格納するメモリと、ＲＦアナログ信号処理を行うＲＦアナログ信号処理サブユニットとを含み、
前記メモリに前記タイムスロットの設定動作の予約が完了して、前記メモリに予約された前記命令コードと命令実行のための前記制御情報とが前記ＲＦアナログ信号処理サブユニットへ前記タイムスロットのどの順番で供給されるかを決定する順番情報を前記第１のユニットから供給されることによって前記第２の動作モードによるタイムスロット設定動作を実行する請求項２記載のＲＦアナログ信号処理ユニット。
【請求項４】
ベースバンドディジタル信号処理を行う前記第１のユニットからの前記第２の動作モードのために前記インターフェースを介して供給される前記情報としての前記タイムスロットの設定動作のための命令コードと命令実行のための制御情報とを格納するメモリと、ＲＦアナログ信号処理を行うＲＦアナログ信号処理サブユニットとを含み、
前記メモリに前記タイムスロットの設定動作の予約が完了して、前記メモリに予約された前記命令コードと命令実行のための前記制御情報とが前記ＲＦアナログ信号処理サブユニットへ前記タイムスロットのどのタイミングで供給されるかを決定するタイミング情報を前記第１のユニットから供給されることによって前記第２の動作モードによるタイムスロット設定動作を実行する請求項２記載のＲＦアナログ信号処理ユニット。
【請求項５】
ベースバンドディジタル信号処理を行う前記第１のユニットからの前記第２の動作モードのために前記インターフェースを介して供給される前記情報としての前記タイムスロットの設定動作のための命令コードと命令実行のための制御情報とを格納するメモリと、ＲＦアナログ信号処理を行うＲＦアナログ信号処理サブユニットとを含み、
前記メモリに前記タイムスロットの設定動作の予約が完了して、前記メモリに予約された前記命令コードと命令実行のための前記制御情報とが前記ＲＦアナログ信号処理サブユニットへ前記タイムスロットのどのタイミングで供給されるかを決定するタイミング情報を前記第１のユニットから供給されることによって前記第２の動作モードによるタイムスロット設定動作を実行する請求項３記載のＲＦアナログ信号処理ユニット。
【請求項６】
前記ＲＦアナログ信号処理サブユニットはＧＳＭ方式とＥＧＤＥ方式との両者に適合する前記基地局からの受信動作の機能と前記基地局への送信動作の機能とを有してなる請求項３記載のＲＦアナログ信号処理ユニット。
【請求項７】
前記タイムスロットの設定動作が前記第１の動作モードに設定された際に、前記第１のユニットから供給される順番とタイミングとで前記命令コードと命令実行のための前記制御情報とを前記ＲＦアナログ信号処理サブユニットへ供給する請求項６記載のＲＦアナログ信号処理ユニット。
【請求項８】
前記タイムスロットの設定動作を、前記第１の動作モードと前記第２の動作モードとのいずれに設定するかの設定ビット情報が前記命令実行のための制御情報に含まれている請求項３から請求項７までのいずれかに記載のＲＦアナログ信号処理ユニット。
【請求項９】
前記設定ビット情報は、前記命令コードと前記命令実行のための制御情報とを格納する前記メモリを構成する複数のレジスタを示すアドレス情報である請求項８に記載のＲＦアナログ信号処理ユニット。
【請求項１０】
複数のタイムスロットのそれぞれのタイムスロットをアイドル状態と、基地局からの受信動作と、前記基地局への送信動作とのいずれかに設定可能である時分割マルチプルアクセスによる通信方式によって前記基地局と通信可能なモバイル端末装置であって、
前記モバイル端末装置は、ベースバンドディジタル信号処理を行う第１のユニットと、ＲＦアナログ信号処理を行う第２のユニットとを有し、
前記第２のユニットは、前記第１のユニットから供給される情報に応答してひとつのタイムスロットをひとつの設定単位としてタイムスロットの設定動作を実行する第１の動作モードと、前記第１のユニットから供給される情報に応答して複数のタイムスロットをひとつの設定単位としてタイムスロットの設定動作を実行する第２の動作モードとを有し、
前記第２のユニットは、前記第１の動作モードと前記第２の動作モードとのいずれにも選択的に設定可能であるモバイル端末装置。
【請求項１１】
ＲＦアナログ信号処理を行う前記第２のユニットは、ベースバンドディジタル信号処理を行う前記第１のユニットからの前記第１の動作モードのために供給される前記情報と前記第２の動作モードのために供給される前記情報とを受信するインターフェースを有する請求項１０記載のモバイル端末装置。
【請求項１２】
ベースバンドディジタル信号処理を行う前記第１のユニットからの前記第２の動作モードのために前記インターフェースを介して供給される前記情報としての前記タイムスロットの設定動作のための命令コードと命令実行のための制御情報とを格納するメモリと、ＲＦアナログ信号処理を行うＲＦアナログ信号処理サブユニットとを含み、
前記メモリに前記タイムスロットの設定動作の予約が完了して、前記メモリに予約された前記命令コードと命令実行のための前記制御情報とが前記ＲＦアナログ信号処理サブユニットへ前記タイムスロットのどの順番で供給されるかを決定する順番情報を前記第１のユニットから供給されることによって前記第２の動作モードによるタイムスロット設定動作を実行する請求項１１記載のモバイル端末装置。
【請求項１３】
ベースバンドディジタル信号処理を行う前記第１のユニットからの前記第２の動作モードのために前記インターフェースを介して供給される前記情報としての前記タイムスロットの設定動作のための命令コードと命令実行のための制御情報とを格納するメモリと、ＲＦアナログ信号処理を行うＲＦアナログ信号処理サブユニットとを含み、
前記メモリに前記タイムスロットの設定動作の予約が完了して、前記メモリに予約された前記命令コードと命令実行のための前記制御情報とが前記ＲＦアナログ信号処理サブユニットへ前記タイムスロットのどのタイミングで供給されるかを決定するタイミング情報を前記第１のユニットから供給されることによって前記第２の動作モードによるタイムスロット設定動作を実行する請求項１１記載のモバイル端末装置。
【請求項１４】
ベースバンドディジタル信号処理を行う前記第１のユニットからの前記第２の動作モードのために前記インターフェースを介して供給される前記情報としての前記タイムスロットの設定動作のための命令コードと命令実行のための制御情報とを格納するメモリと、ＲＦアナログ信号処理を行うＲＦアナログ信号処理サブユニットとを含み、
前記メモリに前記タイムスロットの設定動作の予約が完了して、前記メモリに予約された前記命令コードと命令実行のための前記制御情報とが前記ＲＦアナログ信号処理サブユニットへ前記タイムスロットのどのタイミングで供給されるかを決定するタイミング情報を前記第１のユニットから供給されることによって前記第２の動作モードによるタイムスロット設定動作を実行する請求項１２記載のモバイル端末装置。
【請求項１５】
前記ＲＦアナログ信号処理サブユニットはＧＳＭ方式とＥＧＤＥ方式との両者に適合する前記基地局からの受信動作の機能と前記基地局への送信動作の機能とを有してなる請求項１２記載のモバイル端末装置。
【請求項１６】
前記第２のユニットは、前記タイムスロットの設定動作が前記第１の動作モードに設定された際に、前記第１のユニットから供給される順番とタイミングとで前記命令コードと命令実行のための前記制御情報とを前記第２のユニット内部のＲＦアナログ信号処理サブユニットへ供給する請求項１５記載のモバイル端末装置。
【請求項１７】
前記タイムスロットの設定動作を、前記第１の動作モードと前記第２の動作モードとのいずれに設定するかの設定ビット情報が前記命令実行のための制御情報に含まれている請求項１０から請求項１６までのいずれかに記載のモバイル端末装置。
【請求項１８】
前記設定ビット情報は、前記命令コードと前記命令実行のための制御情報とを格納する前記メモリを構成する複数のレジスタを示すアドレス情報である請求項１７に記載のモバイル端末装置。
【発明の詳細な説明】
【技術分野】
【０００１】
本発明は、複数のタイムスロットのそれぞれのタイムスロットを、アイドル状態と、基地局からの受信動作と、前記基地局への送信動作とのいずれかに設定可能であるＴＤＭＡ（時分割マルチプルアクセス) 方式による通信方式によって前記基地局と通信可能なモバイル端末装置におけるタイムスロットの動作設定の自由度を向上するのに有益な技術に関する。
【背景技術】
【０００２】
複数のタイムスロットのそれぞれのタイムスロットを、アイドル状態と、基地局からの受信動作と、前記基地局への送信動作とのいずれかに設定可能であるＴＤＭＡ方式が知られている。尚、ＴＤＭＡは、Time-Division Multiple Accessの略称である。このＴＤＭＡ方式のひとつとして、位相変調のみを使用するＧＳＭ(Global System rates for Mobile Communication)方式が知られている。このＧＳＭ方式と比較して、通信データ転送レートを改善する方式も知られている。この改善方式として、位相変調ともに振幅変調を使用するＥＤＧＥ（Enhanced Data for GSM Evolution; Enhanced Data for GPRS）方式も最近注目されている。尚、ＧＰＲＳはＧｅｎｒａｌ  Ｐａｃｋｅｔ  Ｒａｄｉｏ  Ｓｅｒｖｉｃｅの略称である。
【０００３】
Ｍｉｃｈａｅｌ  Ｒ．Ｅｌｌｉｏｔｔ等による下記の非特許文献１には、前記のＧＳＭ方式とともに、ＥＤＧＥ方式も紹介されている。
【０００４】
【非特許文献１】Ｍｉｃｈａｅｌ  Ｒ．Ｅｌｌｉｏｔｔ ｅｔ  ａｌ，“ Ａ  Ｐｏｌａｒ  Ｍｏｄｕｌａｔｏｒ  Ｔｒａｎｓｍｉｔｔｅｒ  ｆｏｒ  ＧＳＭ／ＥＤＧＥ”ＩＥＥＥ  ＪＯＵＲＮＡＬ  ＯＦ  ＳＯＬＩＤ−ＳＴＡＴＥ  ＣＩＲＣＵＩＴＳ，ＶＯＬ．３９，Ｎ０．１２  ＤＥＣＥＭＢＥＲ  ２００４，ＰＰ．２１９０〜２１９９．
【発明の開示】
【発明が解決しようとする課題】
【０００５】
ＴＤＭＡ方式を利用するＧＳＭ方式をサポートするＲＦアナログ信号処理ユニットとしてのＲＦ  ＩＣを開発する際に、本発明者らが、このＲＦ  ＩＣでのタイムスロットの動作設定方法に関して検討を行ったところ、下記のような結論に到達した。
【０００６】
本願発明に関して出願人においてこれまで開発されたＴＤＭＡ方式のＲＦ  ＩＣは、次のようなタイムスロットの動作設定方法を採用してきた。すにわち、ＴＤＭＡ方式に準拠するＲＦ  ＩＣでの複数のタイムスロットのそれぞれのタイムスロットを、アイドル状態と、基地局からの受信動作と、前記基地局への送信動作とのいずれかに設定するに際して、ひとつのタイムスロットがひとつの設定単位とされている。すなわち、モバイル端末装置に搭載されるベースバンドディジタル信号処理を行うユニットから供給される情報に応答して、ＲＦ  ＩＣでのタイムスロットの動作が設定される。このタイムスロットの動作設定での設定単位は、ひとつのタイムスロットのみであった。言い換えると、以前のベースバンドディジタル信号処理を行うユニット（ベースバンドＬＳＩ）は、ＲＦ  ＩＣでのタイムスロットの動作設定に関しての設定単位は、ひとつのタイムスロットのみであった。
【０００７】
これに対して、ＴＤＭＡ方式に準拠するＲＦ  ＩＣでの複数のタイムスロットの動作設定に関しての設定単位を、複数のタイムスロットとすることが可能なベースバンドディジタル信号処理を行うユニット（ベースバンドＬＳＩ）をモバイル端末装置に搭載するという別な方式も本発明者等により検討された。この別方式によるタイムスロットの動作設定方法を採用することで、ベースバンドＬＳＩからＲＦ  ＩＣへの動作設定のための情報データの転送の負荷を軽減できると言う可能性を期待することができる。
【０００８】
一方、本発明者等がこのような状況を検討したところ、以下の事実が明らかとなった。すなわち、そうなると仮定すれば、ベースバンドＬＳＩとして、タイムスロットの動作設定の設定単位がひとつのタイムスロットのみに限定されるタイプとタイムスロットの動作設定の設定単位が複数のタイムスロットに限定されるタイプとの２種類存在する。従って、この２種類のベースバンドＬＳＩを、開発・設計して、量産することは大きな負担である。また、この２種類のベースバンドＬＳＩに対応するＲＦ  ＩＣを、２種類、開発・設計して、量産することも大きな負担である。
【０００９】
従って、本発明は上記の如き本発明者らによる検討結果を基にしてなされたものであり、その目的とするところは、時分割マルチプルアクセス方式による通信方式によって基地局と通信可能なモバイル端末装置におけるタイムスロットの動作設定の自由度を向上することにある。
【００１０】
本発明の前記並びにその他の目的と新規な特徴とは、本明細書の記述及び添付図面から明らかになるであろう。
【課題を解決するための手段】
【００１１】
本願において開示される発明のうち代表的なものの概要を簡単に説明すれば、下記の通りである。
【００１２】
すなわち、本発明のひとつの形態は、複数のタイムスロットのそれぞれのタイムスロットを、アイドル状態と、基地局からの受信動作と、前記基地局への送信動作とのいずれかに設定可能である時分割マルチプルアクセスによる通信方式によって前記基地局と通信可能なモバイル端末装置に搭載可能な第２のユニットとしてのＲＦアナログ信号処理ユニット（３００）である。前記第２のユニットとしてのＲＦアナログ信号処理ユニット（３００）は、前記モバイル端末装置に搭載可能なベースバンドディジタル信号処理を行う第１のユニット（４００）と電気的に接続可能である。第２のユニット（３００）は、前記第１のユニット（４００）から供給される情報に応答してひとつのタイムスロットをひとつの設定単位としてタイムスロットの設定動作を実行する第１の動作モード（ＦＯＰＭＯＤ）を有する。また第２のユニット（３００）は、前記第１のユニット（４００）から供給される情報に応答して複数のタイムスロットをひとつの設定単位としてタイムスロットの設定動作を実行する第２の動作モード（ＳＯＰＭＯＤ）をも有する。第２のユニット（３００）は、前記第１の動作モード（ＦＯＰＭＯＤ）と前記第２の動作モード（ＳＯＰＭＯＤ）とのいずれにも選択的に設定可能である。
【００１３】
本発明の更に別な代表的なものの概要を簡単に説明すれば、下記の通りである。
【００１４】
すなわち、本発明の他のひとつの形態は、複数のタイムスロットのそれぞれのタイムスロットをアイドル状態と、基地局からの受信動作と、前記基地局への送信動作とのいずれかに設定可能である時分割マルチプルアクセスによる通信方式によって前記基地局と通信可能なモバイル端末装置である。前記モバイル端末装置に搭載可能なベースバンドディジタル信号処理を行う第１のユニット（４００）とＲＦアナログ信号処理を行う第２のユニット（４００）とは電気的に接続可能である。前記第２のユニット（３００）は、前記第１のユニット（４００）から供給される情報に応答してひとつのタイムスロットをひとつの設定単位としてタイムスロットの設定動作を実行する第１の動作モード（ＦＯＰＭＯＤ）を有する。また前記第２のユニット（３００）は、前記第１のユニット（４００）から供給される情報に応答して複数のタイムスロットをひとつの設定単位としてタイムスロットの設定動作を実行する第２の動作モード（ＳＯＰＭＯＤ）をも有する。前記第２のユニット（３００）は、前記第１の動作モード（ＦＯＰＭＯＤ）と前記第２の動作モード（ＳＯＰＭＯＤ）とのいずれにも選択的に設定可能である。
【００１５】
上記した二つのいずれの手段によっても、まずベースバンドディジタル信号処理を行う第１のユニット（４００）がＴＤＭＡ方式のタイムスロットの動作設定を行う際に前記第１の動作モード（ＦＯＰＭＯＤ）と前記第２の動作モード（ＳＯＰＭＯＤ）とのいずれかを実行する。しかし、それに適合するように、ＲＦアナログ信号処理を行う第２のユニット（３００）の動作が設定される。このようにして、時分割マルチプルアクセス方式による通信方式によって基地局と通信可能なモバイル端末装置におけるタイムスロットの動作設定の自由度を向上することが可能となる。
【００１６】
本発明の具体的な形態では、ＲＦアナログ信号処理を行う前記第２のユニット（３００）は、インターフェース（３１１、３１２）を有する。このインターフェースは、ベースバンドディジタル信号処理を行う前記第１のユニット（４００）からの前記第１の動作モード（ＦＯＰＭＯＤ）のために供給される前記情報（Ｌ１、Ｌ２、Ｌ３）と前記第２の動作モード（ＳＯＰＭＯＤ）のために供給される前記情報（Ｌ４）とを受信する。
【００１７】
本発明のより具体的な形態では、前記第２のユニット（３００）は、前記第１のユニット（４００）からの前記第２の動作モード（ＳＯＰＭＯＤ）のために前記インターフェース（３１１、３１２）を介して供給される前記情報としての前記タイムスロットの設定動作のための命令コードと命令実行のための制御情報とを格納するメモリ（３１０１）を含む。前記第２のユニット（３００）は、更に、ＲＦアナログ信号処理を行うＲＦアナログ信号処理サブユニット（３０１、３０２）を含む。前記メモリ（３１０１）に前記タイムスロットの設定動作の予約が完了する。すると、前記メモリ（３１０１）に予約された前記命令コードと命令実行のための前記制御情報とが前記ＲＦアナログ信号処理サブユニット（３０１、３０２）へ前記タイムスロットのどの順番で供給されるかを決定する順番情報（ＷＲＤ６−３、６−４、６−５）が前記第１のユニット（４００）から供給される。これによって、前記第２の動作モード（ＳＯＰＭＯＤ）によるタイムスロット設定動作が実行される。
【００１８】
本発明の他のより具体的な形態では、前記第２のユニット（３００）は、前記第１のユニット（４００）からの前記第２の動作モード（ＳＯＰＭＯＤ）のために前記インターフェース（３１１、３１２）を介して供給される前記情報としての前記タイムスロットの設定動作のための命令コードと命令実行のための制御情報とを格納するメモリ（３１０１）を含む。前記第２のユニット（３００）は、更にＲＦアナログ信号処理を行うＲＦアナログ信号処理サブユニット（３０１、３０２）を含む。前記メモリ（３１０１）に前記タイムスロットの設定動作の予約が完了する。すると、前記メモリ（３１０１）に予約された前記命令コードと命令実行のための前記制御情報とが前記第２のユニット内部のＲＦアナログ信号処理サブユニット（３０１、３０２）へ前記タイムスロットのどのタイミングで供給されるかを決定するタイミング情報（Ｌ５、Ｓｔｒｂ）が前記第１のユニット（４００）から供給される。これによって、前記第２の動作モード（ＳＯＰＭＯＤ）によるタイムスロット設定動作が実行される。
【００１９】
本発明の別な具体的な形態では、前記ＲＦアナログ信号処理サブユニット（３０１、３０２）はＧＳＭ方式とＥＧＤＥ方式との両者に適合する機能を有している。
【００２０】
本発明の別な具体的な実施形態では、前記タイムスロットの設定動作が前記第１の動作モード（ＦＯＰＭＯＤ）に設定された際に、前記第１のユニット（４００）から供給される順番とタイミングとで前記命令コードと命令実行のための前記制御情報（Ｌ１）とが前記ＲＦアナログ信号処理サブユニット（３０１、３０２）へ供給される。
【００２１】
本発明の別な具体的な形態では、前記タイムスロットの設定動作を、前記第１の動作モード（ＦＯＰＭＯＤ）と前記第２の動作モード（ＳＯＰＭＯＤ）とのいずれに設定するかの設定ビット情報（ＲＥＧ＿ＡＤ）が前記命令実行のための制御情報に含まれている。
【００２２】
本発明の最も具体的な形態では、前記設定ビット情報は、前記命令コードと前記命令実行のための制御情報とを格納する前記メモリを構成する複数のレジスタを示すアドレス情報（ＲＥＧ＿ＡＤ）である。
【発明の効果】
【００２３】
本願において開示される発明のうち代表的なものによって得られる効果を簡単に説明すれば、下記の通りである。
【００２４】
すなわち、時分割マルチプルアクセス方式による通信方式によって基地局と通信可能なモバイル端末装置におけるタイムスロットの動作設定の自由度を向上することができる。
【発明を実施するための最良の形態】
【００２５】
≪モバイル端末装置の全体構成≫
図１は、本発明の一つの実施形態によるモバイル端末装置の全体構成を示す図である。ここではモバイル端末装置は携帯電話端末装置であるが、ノート型パーソナルコンピュータもしくはＰＤＡ(Personal Digital Assist)機器のためのモバイル通信用デバイスであってもよい。
【００２６】
アンテナ１００（ＡＮＴ）は携帯電話端末装置が基地局からの受信動作と前記基地局への送信動作とを行うために、無線周波数（以下、ＲＦと称する）の基地局からの受信信号を受けたり、基地局へのＲＦ送信信号を出力する。このアンテナ１００は、フロントエンドモジュール２００（ＦＥＭ）に接続されている。フロントエンドモジュール２００はアンテナスイッチ２０１（ＡＮＴ＿ＳＷ）を有する。このアンテナスイッチ２０１が上側に接続されている場合は、アンテナ１００で受信されたＲＦ受信信号は例えば表面弾性波デバイスによる受信フィルタ２０２（ＳＡＷ）(希望周波数信号を通過させ、妨害周波数信号を減衰)に供給される。一方、アンテナスイッチ２０１が下側に接続されている場合は、送信用ＲＦ電力増幅器２０３（ＲＦ＿ＰＡ）の出力にアンテナスイッチ２０１が接続される。従って、送信用ＲＦ電力増幅器２０３のＲＦパワー出力によってアンテナ１００から基地局へのＲＦ送信信号が出力される。このフロントエンドモジュール２００のアンテナスイッチ２０１はＴＤＭＡ方式の受信動作のタイムスロットでは上側に接続され、送信動作のタイムスロットでは下側に接続される。
【００２７】
フロントエンドモジュール２００の受信フィルタ２０２の出力のＲＦ受信信号は,ＲＦアナログ信号処理ユニットであるＲＦアナログ信号処理集積回路３００（ＲＦ＿ＩＣ）の内部のＲＦ受信信号アナログ信号処理サブユニット３０１（ＲＸ  ＳＰＵ）の入力に接続されている。一方、フロントエンドモジュール２００の送信用ＲＦ電力増幅器２０３のＲＦ入力は、ＲＦアナログ信号処理集積回路３００の内部のＲＦ送信信号アナログ信号処理サブユニット３０２（ＴＸ  ＳＰＵ）の出力に接続されている。
【００２８】
次にＲＦアナログ信号処理集積回路３００について、詳細に説明する。
【００２９】
ＲＦアナログ信号処理集積回路３００内部のＲＦ受信信号アナログ信号処理サブユニット３０１は、受信フィルタ２０２からのＲＦ受信信号からアナログベースバンド受信信号の直交成分ＲｘＡＢＩ、ＲｘＡＢＱを形成する。これらの直交成分ＲｘＡＢＩ、ＲｘＡＢＱは、アナログベースバンド受信信号Ｉ用のＡ／Ｄ変換器３０３（Ｉ＿ＡＤＣ）とアナログベースバンド受信信号Ｑ用のＡ／Ｄ変換器３０４（Ｑ＿ＡＤＣ）との入力に供給される。アナログベースバンド受信信号Ｉ、Ｑ用のＡ／Ｄ変換器３０３、３０４とは供給されたアナログベースバンド受信信号ＲｘＡＢＩ、ＲｘＡＢＱをディジタルベースバンド受信信号ＲｘＤＢＩ、ＲｘＤＢＱに変換する。これらのディジタルベースバンド受信信号ＲｘＤＢＩ、ＲｘＤＢＱは、マルチプレクサー３０５（ＭＰＸ）の二つの入力に供給される。マルチプレクサー３０５は、双方向ディジタル信号経路Ｌ５を介してベースバンドディジタル信号処理ユニットであるベースバンド信号処理ＬＳＩ４００（ＢＢ＿ＬＳＩ）に接続されている。具体的な実施形態では双方向ディジタル信号経路Ｌ５は１本（１ビット）の信号線であるので、受信動作では二つのディジタルベースバンド受信信号ＲｘＤＢＩ、ＲｘＤＢＱは時分割でベースバンド信号処理ＬＳＩ  ４００に供給される。
【００３０】
また、送信動作では、マルチプレクサー３０５は１本（１ビット）の信号線である双方向ディジタル信号経路Ｌ５を介してベースバンド信号処理ＬＳＩ４００から印加されたディジタルベースバンド送信信号ＴｘＤＢをディジタルベースバンド変調器３０６（Ｄｉｇ＿ＭＯＤ）に出力する。ディジタルベースバンド変調器３０６は、マルチプレクサー３０５から供給されたディジタルベースバンド送信信号ＴｘＤＢからディジタルベースバンド送信信号の直交成分ＴｘＤＢＩ、ＴｘＤＢＱを形成する。これらの直交成分ＴｘＤＢＩ、ＴｘＤＢＱは、ディジタルベースバンド送信信号Ｉ用のＤ／Ａ変換器３０７（Ｉ＿ＤＡＣ）とディジタルベースバンド送信信号Ｑ用のＤ／Ａ変換器３０８（Ｑ＿ＤＡＣ）の入力にそれぞれ供給される。ディジタルベースバンド送信信号Ｉ、Ｑ用のＤ／Ａ変換器３０７、３０８は、供給されたディジタルベースバンド送信信号ＴｘＤＢＩ、ＴｘＤＢＱをアナログベースバンド送信信号ＴｘＡＢＩ、ＴｘＡＢＱに変換する。これらの信号ＴｘＡＢＩ、ＴｘＡＢＱは、ＲＦアナログ信号処理集積回路３００内部のＲＦ送信信号アナログ信号処理サブユニット３０２（ＴＸ  ＳＰＵ）の入力に供給される。ＲＦ送信信号アナログ信号処理サブユニット３０２は、アナログベースバンド送信信号ＴｘＡＢＩ、ＴｘＡＢＱからＲＦ送信信号を形成して、送信用ＲＦ電力増幅器２０３のＲＦパワー入力に供給する。送信用ＲＦ電力増幅器２０３は、ＲＦパワー入力を増幅することによりＲＦ増幅出力信号をＲＦパワー出力に生成する。ＲＦアナログ信号処理集積回路３００内部のランプ信号Ｄ／Ａ変換器３０９（Ｒａｍｐ  ＤＡＣ）の自動パワー制御電圧Ｖａｐｃによって、送信用ＲＦ電力増幅器２０３の増幅ゲインが設定される。
【００３１】
ランプ信号Ｄ／Ａ変換器３０９の動作条件だけでなくＲＦ受信信号アナログ信号処理サブユニット３０１とＲＦ送信信号アナログ信号処理サブユニット３０２の動作条件も同様に、ＲＦアナログ信号処理集積回路３００の内部の送信受信制御サブユニット３１０（Ｒｘ／Ｔｘ＿ＣＴＲＬ）により制御される。この送信受信制御サブユニット３１０は、第１インターフェース３１１（ＩＮＴ＿１）と第２インターフェース３１２（ＩＮＴ＿２）とディジタル信号経路Ｌ１、Ｌ２、Ｌ３、Ｌ４を介してベースバンド信号処理ＬＳＩ４００に接続される。第１インターフェース３１１と第２インターフェース３１２とには、ディジタル信号経路Ｌ１、Ｌ２、Ｌ３、Ｌ４を介して第１の動作モードＦＯＰＭＯＤに使用される情報と、第２の動作モードＳＯＰＭＯＤに使用される情報とがベースバンド信号処理ＬＳＩ４００から供給される。第１の動作モードＦＯＰＭＯＤに使用される情報は、時分割マルチプルアクセス方式におけるタイムスロットの動作設定を行うため、ＲＦアナログ信号処理集積回路３００の内部回路の送受信動作とフロントエンドモジュール２００の送受信動作との動作条件の設定において、ひとつのタイムスロットをひとつの設定単位としている。第２の動作モードＳＯＰＭＯＤに使用される情報は、時分割マルチプルアクセス方式におけるタイムスロットの動作設定を行うために、ＲＦアナログ信号処理集積回路３００の内部回路の送受信動作とフロントエンドモジュール２００の送受信動作との動作条件の設定において、複数のタイムスロットをひとつの設定単位としている。より厳密に言うならば、第１インターフェース３１１は第１の動作モードＦＯＰＭＯＤと第２の動作モードＳＯＰＭＯＤとの両方でディジタル信号経路Ｌ１、Ｌ２、Ｌ３からの転送情報を受けるが、第２インターフェース３１２は第２の動作モードＳＯＰＭＯＤの場合にのみディジタル信号経路Ｌ４からの転送情報を受ける。
【００３２】
ディジタル信号経路Ｌ１のディジタル信号は、ベースバンド信号処理ＬＳＩ４００から供給される制御データ（Ｃｔｒｌ  Ｄａｔａ）であり、この制御データは設定動作のための命令コードと命令実行のための制御情報とを含んでいる。ディジタル信号経路Ｌ２のディジタル信号は、ベースバンド信号処理ＬＳＩ４００から供給される制御クロック（Ｃｔｒｌ  ＣＬｋ）であり、この制御クロックは設定動作のための同期制御信号である。ディジタル信号経路Ｌ３のディジタル信号は、ベースバンド信号処理ＬＳＩ４００から供給される制御イネーブル信号（Ｃｔｒｌ  Ｅｎ）である。この制御イネーブル信号（Ｃｔｒｌ  Ｅｎ）は、ベースバンド信号処理ＬＳＩ４００がＲＦアナログ信号処理集積回路３００の内部回路の送受信動作とフロントエンドモジュール２００の送受信動作の動作条件の設定を行う際に、ベースバンド信号処理ＬＳＩ４００によってイネーブルを可能とするレベルに駆動される。一方、ディジタル信号経路Ｌ４のディジタル信号は、第２の動作モードＳＯＰＭＯＤで使用されるストローブ信号（Ｓｔｒｂ）である。第２の動作モードＳＯＰＭＯＤではこのストローブ信号（Ｓｔｒｂ）がディジタル信号経路Ｌ４に出力される以前に、複数のタイムスロットをひとつの設定単位とする動作設定の予約が行われる。前記動作設定の予約完了の後、動作設定の予約がされた命令コードと命令実行のための制御情報とが、送信受信制御サブユニット３１０からＲＦアナログ信号処理サブユニット３０１、３０２やフロントエンドモジュール２００へタイムスロットのどのタイミングで供給されるかを、このストローブ信号（Ｓｔｒｂ）が決定する。
【００３３】
ＲＦアナログ信号処理集積回路３００は、システム基準クロック発振器３１４（ＤＣＸＯ）を持っている。システム基準クロック発振器３１４の出力に基づくシステム基準クロック信号ＳｙｓＣＬｋの発振周波数は、集積回路３００外部の水晶振動子５０１（Ｘｔａｌ）によって安定に維持されることができる。
【００３４】
次に、前記モバイル端末装置の送受信動作について、説明する。ベースバンド信号処理ＬＳＩ４００が、ＲＦアナログ信号処理集積回路３００とフロントエンドモジュール２００とを用いて、ＧＳＭ方式もしくはＥＤＧＥ方式の通信を確立する。その際は、ベースバンド信号処理ＬＳＩ４００内部のＧＳＭタイマー４０３（ＧＳＭ  Ｔｉｍｅｒ）がＲＦアナログ信号処理集積回路３００にシステム基準クロック信号イネーブルＳｙｓＣＬｋＥｎを供給する。すると、ＲＦアナログ信号処理集積回路３００のシステム基準クロック発振器３１４の出力に基づくシステム基準クロック信号ＳｙｓＣＬｋは、送信受信制御サブユニット３１０の波形整形回路３１０３を介して、ベースバンド信号処理ＬＳＩ４００内部のＧＳＭタイマー４０３（ＧＳＭ  Ｔｉｍｅｒ）に供給される。この情報は、ベースバンド信号処理ＬＳＩ４００内部ベースバンドプロセッサコア４０１（ＢＢ＿Ｐｒ＿Ｃｏｒｅ）にも供給される。するとベースバンドプロセッサコア４０１内部のＣＰＵは、ＲＦディジタルインターフェース４０２（Ｄｉｇ＿ＲＦ＿ＩＮＴ）とディジタル信号経路Ｌ１、Ｌ２、Ｌ３、Ｌ４を介して第１の動作モードＦＯＰＭＯＤまたは第２の動作モードＳＯＰＭＯＤのいずれかによって時分割マルチプルアクセス方式におけるタイムスロットの動作設定を開始する。ベースバンドプロセッサコア４０１内部のディジタルシグナルプロセッサ（ＤＳＰ）は、ＲＦアナログ信号処理集積回路３００のＲＦ受信信号アナログ信号処理サブユニット３０１により処理された受信ベースバンド信号に関する信号処理を実行する。この信号処理により、事前に確立された通信がＧＳＭ方式の場合には、位相変調成分を生成することで位相復調を実行する。この位相復調結果により、ベースバンド信号処理ＬＳＩ４００外部のＤ／Ａ変換器５０２（ＤＡＣ）とスピーカー５０３（ＳＰ）により通信相手の会話のオーディオ信号が得られる。一方、図１のモバイル端末装置を使用するユーザーが発声したアナログ・オーディオ信号は、マイク５０４（ＭＩＣ）とＡ／Ｄ変換器５０５（ＡＤＣ）によりディジタル・オーディオ信号に変換される。ベースバンドプロセッサコア４０１内部のディジタルシグナルプロセッサ（ＤＳＰ）はこのディジタル・オーディオ信号に関する信号処理を実行する。この信号処理により、事前に確立された通信がＧＳＭ方式の場合には位相復調を実行する。その結果、ＲＦアナログ信号処理集積回路３００のＲＦ送信信号アナログ信号処理サブユニット３０２により処理されるべき送信ベースバンド信号に位相変調成分を含ませることが可能となる。事前に確立された通信がＥＤＧＥ方式の場合には、通信の送受信情報に位相変調成分だけでなく振幅変調成分も含まれるので、通信のデータ転送レートを改善することができる。
【００３５】
尚、ベースバンド信号処理ＬＳＩ４００は、内蔵メモリとしてＳＲＡＭ４０４を持ち、ＧＳＭ方式やＥＤＧＥ方式の通信の際のワークメモリとして利用できる。
【００３６】
次に時分割マルチプルアクセス方式におけるタイムスロットの動作設定について説明する。
【００３７】
初めに、ひとつのタイムスロットをひとつの設定単位として実行する第１の動作モードＦＯＰＭＯＤで実行する場合を考える。この時には、ＲＦアナログ信号処理集積回路３００の送信受信制御サブユニット３１０では、次の動作が実行される。すなわち、ベースバンド信号処理ＬＳＩ４００のＲＦディジタルインターフェース４０２からディジタル信号経路Ｌ１を介して制御データ（ＣｔｒｌＤａｔａ）として供給される設定動作のための命令コードと命令実行のための制御情報とが、直ちに、命令デコーダとして構成されたワードデコーダ３１０２（ＷＲＤ＿ＤＥＣ）に供給される。その結果、タイムスロットの設定動作が第１の動作モードＦＯＰＭＯＤの場合には、ディジタル信号経路Ｌ１からの制御データ（ＣｔｒｌＤａｔａ）である設定動作のための命令コードと命令実行のための制御情報とに従って直ちにＲＦアナログ信号処理サブユニット３０１、３０２とフロントエンドモジュール２００との送受信動作とが設定される。
【００３８】
続けて、複数のタイムスロットをひとつの設定単位として実行する第２の動作モードＳＯＰＭＯＤで実行する場合を考える。この時には、ＲＦアナログ信号処理集積回路３００の送信受信制御サブユニット３１０では、次の動作が実行される。すなわち、ベースバンド信号処理ＬＳＩ４００のＲＦディジタルインターフェース４０２からディジタル信号経路Ｌ１を介して制御データ（ＣｔｒｌＤａｔａ）として供給される設定動作のための命令コードと命令実行のための制御情報とが、内部バッフアメモリとして構成されたワードレジスタファイル３１０１（ＷＲＤＲＦ）に供給される。このようにして、第２の動作モードＳＯＰＭＯＤにより複数のタイムスロットをひとつの設定単位とする動作設定の予約が、送信受信制御サブユニット３１０の内部バッフアメモリとしてのワードレジスタファイル３１０１（ＷＲＤＲＦ）にて完了する。その後に、動作設定が予約された命令コードと命令実行のための制御情報とが送信受信制御サブユニット３１０からＲＦアナログ信号処理サブユニット３０１、３０２やフロントエンドモジュール２００へタイムスロットのどのタイミングで供給されるかを決定するストローブ信号Ｓｔｒｂが、第２インターフェース３１２に供給される。すなわち、所定の信号レベルを持ったストローブ信号Ｓｔｒｂが、ベースバンド信号処理ＬＳＩ４００のＲＦディジタルインターフェース４０２からディジタル信号経路Ｌ４を介してＲＦアナログ信号処理集積回路３００の第２インターフェース３１２に供給されるものである。
【００３９】
尚、図２に示すように、ベースバンド信号処理ＬＳＩ４００は第１外部バス５０６（Ｂｕｓ＿１）を介して第１外部メモリ５０７（ＭＥＭ＿１）とアプリケーションプロセッサ５１０（ＡＰ）とに接続されることができる。第１外部メモリ５０７（ＭＥＭ＿１）は、ベースバンド信号処理ＬＳＩ４００のワークメモリとして利用されるＳＲＡＭとベースバンド信号処理ＬＳＩ４００のための動作プログラムを格納する不揮発性メモリＦｌａｓｈとを含む。この不揮発性メモリＦｌａｓｈに格納された動作プログラムは、ベースバンドプロセッサコア４０１内部のディジタルシグナルプロセッサ（ＤＳＰ）によるＧＳＭ方式の受信ベースバンド信号に関する位相復調と送信ベースバンド信号に関する位相変調のためのプログラムとを含んでいる。また、この不揮発性メモリＦｌａｓｈは、ＥＤＧＥ方式の受信ベースバンド信号に関する位相復調と振幅復調と送信ベースバンド信号に関する位相変調と振幅変調のプログラムを含んでいる。また、本発明の好適な実施形態では、第１外部メモリ５０７（ＭＥＭ＿１）の不揮発性メモリＦｌａｓｈに時分割マルチプルアクセス方式におけるタイムスロットの動作設定を第１の動作モードＦＯＰＭＯＤと第２の動作モードＳＯＰＭＯＤとのいずれにも設定するためのタイムスロットの動作設定の制御プログラムを含んでいる。
【００４０】
第１外部バス５０６を介してベースバンド信号処理ＬＳＩ４００と接続されたアプリケーションプロセッサ５１０（ＡＰ）は、第２外部バス５１１（Ｂｕｓ＿２）を介して第２外部メモリ５１２（ＭＥＭ＿２）と液晶表示装置５１３（ＬＣＤ）と操作キー入力装置５１４（ＩＮＰＤ）とに接続されている。この第２外部メモリ５１２（ＭＥＭ＿２）は、アプリケーションプロセッサ５１０のワークメモリとして利用されるＳＲＡＭと擬似ＳＲＡＭ（Ｐ−ＳＲＡＭ）とアプリケーションプロセッサ５１０のための動作プログラムを格納する不揮発性メモリＦｌａｓｈとを含む。また、本発明の好適な実施形態では、第２外部メモリ５１２（ＭＥＭ＿２）の不揮発性メモリＦｌａｓｈには、モバイル端末装置のブートプログラム（モバイル端末装置のパワーオン時もしくはリセット時のイニシャライズ処理）とオペレーティングシステムプログラム（ＯＳ）とを含んでいる。さらに第２外部メモリ５１２の不揮発性メモリＦｌａｓｈには、汎用プログラミング言語ＪＡＶＡ（登録商標）の実行プログラムやゲーム等の種々のアプリケーションプログラム等も格納することもできる。このモバイル端末装置のブートプログラムやＯＳによって、時分割マルチプルアクセス方式におけるタイムスロットの動作設定を第１の動作モードＦＯＰＭＯＤと第２の動作モードＳＯＰＭＯＤとのいずれと設定するためのタイムスロットの動作設定を行うこともできる。
【００４１】
また、ベースバンド信号処理ＬＳＩ４００とアプリケーションプロセッサ５１０とはそれぞれ別の半導体チップで構成されているが、別な実施形態ではアプリケーションプロセッサ５１０がベースバンド信号処理ＬＳＩ４００の半導体チップに統合された統合ワンチップとされる。さらに別な実施形態ではベースバンド信号処理ＬＳＩ４００とアプリケーションプロセッサ５１０とが統合された統合ワンチップ中に、ＲＦアナログ信号処理ユニット３００も更に統合される。これらの実施形態においても、統合ワンチップの中に構成されたベースバンド信号処理ユニット４００からＲＦアナログ信号処理ユニット３００への時分割マルチプルアクセス方式による通信方式におけるタイムスロットの動作設定の自由度を向上することができる。この統合ワンチップ内部でのベースバンド信号処理ユニット４００からＲＦアナログ信号処理ユニット３００への時分割マルチプルアクセス方式による通信方式におけるタイムスロットの動作設定に際して、統合ワンチップ内部の内部バスを介しての動作設定のための情報データの転送の負荷を軽減することができる。
【００４２】
≪タイムスロットの動作≫
図３は、本発明の実施形態での時分割マルチプルアクセス方式による通信方式によるＲＦアナログ信号処理集積回路３００のひとつのタイムスロットで設定されることができる複数の動作を示す状態遷移図である。
【００４３】
まず、ＲＦアナログ信号処理集積回路３００の動作状態は、同図に示すようにモバイル端末装置のパワーオン時もしくはハードウェアもしくはソフトウェアによるリセット時のリセット状態３０５１（ＲＳＴ）からスタートする。
【００４４】
このパワーオンもしくはリセットによるイニシャライズ処理（初期化処理）が終了すると、ＲＦアナログ信号処理集積回路３００の動作状態はアイドル状態３０５２（ＩＤＬ）に自動的に遷移する。アイドル状態３０５２では、ＲＦアナログ信号処理集積回路３００中の複数のアナログ回路のバイアス電流は微小電流に設定されて、複数のロジック回路への制御クロック信号も静止状態にあるので、ＲＦアナログ信号処理集積回路３００全体として極めて小さな低消費電力のスタンバイ状態とされている。このイニシャライズ処理終了の後に、ＲＦアナログ信号処理集積回路３００の動作状態はアイドル状態３０５２（ＩＤＬ）に自動的に遷移するだけではない。すなわち、後に説明するように受信状態３０５４（Ｒｘ）中で実際の受信動作を終了した状態もしくは送信状態３０５５（Ｔｘ）中で実際の送信動作を終了した状態にあるＲＦアナログ信号処理集積回路３００がワードＷＲＤ４を受信することでも、アイドル状態３０５２への遷移が可能である。すなわち、ベースバンド信号処理ＬＳＩ４００からのアイドル状態への遷移命令であるワードＷＲＤ４の命令コードの受信でも、ＲＦアナログ信号処理集積回路３００の動作状態はアイドル状態３０５２に遷移するものである。また下記に説明するウォームアップ状態３０５３にあるＲＦアナログ信号処理集積回路３００がベースバンド信号処理ＬＳＩ４００からアイドル状態への遷移命令であるワードＷＲＤ４の命令コードを受信することでも、ＲＦアナログ信号処理集積回路３００の動作状態はアイドル状態３０５２に遷移する。従って、ベースバンド信号処理ＬＳＩ４００からの制御命令によってひとつのタイムスロット中で設定可能な動作状態のひとつがアイドル状態３０５２である。
【００４５】
アイドル状態３０５２にあるＲＦアナログ信号処理集積回路３００がベースバンド信号処理ＬＳＩ４００からウォームアップ状態への遷移命令であるワードＷＲＤ１の命令コードを受信することで、ＲＦアナログ信号処理集積回路３００の動作状態はアイドル状態３０５２からウォームアップ状態３０５３（ＷＡＲＭ）に遷移する。このウォームアップ状態３０５３は、次の受信状態３０５４（Ｒｘ）もしくは送信状態３０５５（Ｔｘ）への準備期間である。すなわち、このウォームアップ状態３０５３を用いてＲＦアナログ信号処理集積回路３００は、次の受信動作もしくは送信動作のためのＰＬＬ周波数シンセサイザの動作の準備を行う。後で詳細に説明するようにこのＰＬＬ周波数シンセサイザは、ＰＬＬ（Phase  Locked  Loop）回路を持っている。このＰＬＬ回路は、システム基準クロック発振器３１４の出力からのシステム基準クロック信号ＳｙｓＣＬｋの安定に維持された周波数を基準にして受信ミキサーで使用される受信キャリア信号の周波数や送信ミキサーで使用される送信キャリア信号の周波数を決定する。ＰＬＬ回路は遅延回路要素を含むので、動作条件を設定された後に設定動作条件に安定化されるためには無視できない応答時間が必要となる。この理由により、ウォームアップ状態３０５３が設けられる。従って、ベースバンド信号処理ＬＳＩ４００からの制御命令によってひとつのタイムスロット中で設定可能な動作状態の別のひとつがウォームアップ状態３０５３である。
【００４６】
送信状態又は受信状態の準備期間であるウォームアップ状態３０５３を経た後、ＲＦアナログ信号処理集積回路３００がベースバンド信号処理ＬＳＩ４００からワードＷＲＤ２の命令コードを受信する場合はＲＦアナログ信号処理集積回路３００の動作状態はウォームアップ状態３０５３から受信状態３０５４へ遷移し、またＲＦアナログ信号処理集積回路３００がベースバンド信号処理ＬＳＩ４００からワードＷＲＤ３の命令コードを受信する場合はＲＦアナログ信号処理集積回路３００の動作状態はウォームアップ状態３０５３から送信状態３０５５へ遷移する。
【００４７】
上記受信状態３０５４には２種類の状態が存在する。
【００４８】
一方は、リアルな受信状態である。この状態では、ＲＦアナログ信号処理集積回路３００のＲＦ受信信号アナログ信号処理サブユニット３０１が基地局からの受信電波に基づいてディジタルベースバンド受信信号ＲｘＤＢＩ、ＲｘＤＢＱを形成してマルチプレクサー３０５と双方向ディジタル信号経路Ｌ５とを介してベースバンド信号処理ＬＳＩ４００に転送する。
【００４９】
もう一方は、バーチャルな受信状態である。この状態では、いかなるディジタルベースバンド受信信号ＲｘＤＢＩ、ＲｘＤＢＱもＲＦアナログ信号処理集積回路３００のＲＦ受信信号アナログ信号処理サブユニット３０１からマルチプレクサー３０５と双方向ディジタル信号経路Ｌ５を介してベースバンド信号処理ＬＳＩ４００に転送されることがない。このバーチャルな受信状態を、モニター状態（Ｍｘ）と本発明の実施形態では呼ぶこととする。このモニター状態では、例えば、ＲＦアナログ信号処理集積回路３００のＲＦ受信信号アナログ信号処理サブユニット３０１は基地局から送信されて携帯電話端末装置により受信された電波の電界強度を検出するなどのリアルな受信状態とは別の種類の受信動作が実行される。尚、受信状態３０５４のひとつである上記モニター状態（Ｍｘ）への遷移も、ワードＷＲＤ２の命令コードの受信により可能となっている。
【００５０】
尚、図３に示す状態遷移図で、ワードＷＲＤ５〜７の命令コードはコンフィギュレーション等の初期設定に使用されるもので、これらのワードＷＲＤ５〜７の命令コードはひとつのタイムスロットをひとつの設定単位としてタイムスロットの設定動作を実行する第１の動作モードＦＯＰＭＯＤの時にのみ使用されることができる。ワードＷＲＤ５〜７の命令コードによる初期設定が終了すると、ウォームアップ状態３０５３（ＷＲＡＭ）に自動的に復帰する。
【００５１】
ところで、本発明の実施形態では、複数のタイムスロットで受信動作３０５４（Ｒｘ）を連続して実行する場合には、複数のワードＷＲＤ２の命令コードを連続して受信することでその実行が可能となっている。同様に、複数のタイムスロットで送信状態３０５５（Ｔｘ）を連続して実行する場合には、複数のワードＷＲＤ３の命令コードを連続して受信することでその実行が可能となっている。尚、受信状態３０５４と送信状態３０５５との間の直接遷移は不可能となっている。すなわち、二つの状態の間にはアイドル状態３０５２（ＩＤＬ）への遷移命令であるＷＲＤ４の命令コードの受信とウォームアップ状態３０５３（ＷＲＡＭ）への遷移命令であるワードＷＲＤ１の命令コードの受信とを必要としている。このようにして、受信動作３０５４（Ｒｘ）と送信動作３０５５（Ｔｘ）との間の遷移には、ベースバンド信号処理ＬＳＩからの二つの明確な命令である二つのワードＷＲＤ４、ＷＲＤ１を要求している。
【００５２】
さらに、ウォームアップ状態３０５３（ＷＲＡＭ）は、ひとつのタイムスロットの全期間にひとつの設定動作として設定されるわけではない。このウォームアップ状態３０５３（ＷＲＡＭ）は、アイドル状態３０５２（ＩＤＬ）もしくはモニター状態（ＭＸ）にあるひとつのタイムスロットでウォームアップ状態３０５３への遷移命令であるワードＷＲＤ１の受信で生じる一時的な遷移状態であることに注意されたい。この後に、受信状態３０５４（Ｒｘ）への遷移命令であるワードＷＲＤ２の命令コードもしくは送信状態３０５５（Ｔｘ）への遷移命令であるワードＷＲＤ３の命令コードを受信することにより、直後のタイムスロットの動作状態は送信動作もしくは受信動作に設定される。これは、後で説明する図６、図８、図９のタイムスロットの設定動作による通信動作の説明で明らかとなるであろう。
【００５３】
≪タイムスロット設定の命令コードと制御情報および命令レジスタ≫
図４は、本発明の実施形態での時分割マルチプルアクセス方式による通信方式によるＲＦアナログ信号処理集積回路３００でのタイムスロット設定で使用される命令コードと制御情報とを含んだ複数のワードのビット構成を示す図である。
【００５４】
同図において、ワードＷＲＤ１の部分は、アイドル状態３０５２からウォームアップ状態３０５３への遷移命令のワードＷＲＤ１がビット３１からビット０からなる３２ビット長であることを示している。最上位ビットであるビット３１のＲ／Ｗ(リード／ライト)ビットは“０”（Ｗ（ライト)）となっており、ベースバンド信号処理ＬＳＩ４００からＲＦアナログ信号処理集積回路３００へ書き込まれる命令であることを示している。上位ビット側のビット３０からビット２８までの３ビットのビット列”００１“は、この命令がワードＷＲＤ１であることを示すワードアドレスＷＲＤ＿ＡＤである。このワードアドレスＷＲＤ＿ＡＤは、マイクロプロセッサで例えるならば命令のオペレーションコードに対応する。最下位ビットを含めた下位２ビット（ビット１、ビット０）は、ＲＦアナログ信号処理集積回路３００内部の送信受信制御サブユニット３１０のワードレジスタファイル３１０１（ＷＲＤＲＦ）中でこのワードＷＲＤ１の命令が使用可能な４本の３２ビット長のレジスタＲｅｇ．０〜Ｒｅｇ．３のアドレスＲＥＧ＿ＡＤとなっている。ワードＷＲＤ１の命令が使用可能な４本の３２ビット長のレジスタＲｅｇ．０〜Ｒｅｇ．３は、図５でワードＷＲＤ１の部分で示されている。１本目のレジスタＲｅｇ．０は、ひとつのタイムスロットをひとつの設定単位としてタイムスロットの設定動作を実行する第１の動作モードＦＯＰＭＯＤでのみ使用される。２本目から４本目のＲｅｇ．１〜Ｒｅｇ．３は、複数のタイムスロットをひとつの設定単位としてタイムスロットの設定動作を実行する第２の動作モードＳＯＰＭＯＤでのみ使用される。この２本目から４本目のＲｅｇ．１〜Ｒｅｇ．３は、第２の動作モードＳＯＰＭＯＤの第１回目、第２回目、第３回目でそれぞれ決定されるタイムスロットでのウォームアップ状態への遷移命令のワードＷＲＤ１を格納するために使用されることができる。このように、最下位ビットを含めた下位２ビットのレジスタのアドレスＲＥＧ＿ＡＤは、ワードＷＲＤ１が使用するレジスタを指定する。また、レジスタのアドレスＲＥＧ＿ＡＤが、ワードＷＲＤ１がタイムスロットの設定動作を第１の動作モード（ＦＯＰＭＯＤ）と第２の動作モード（ＳＯＰＭＯＤ）とのいずれで実行するのかの設定ビット情報にもなっていることに注意されたい。
【００５５】
図４のワードＷＲＤ１の部分で、上位ビット側のビット２７からビット２６までの２ビットのビット列はＧＳＭ８５０ＭＨｚ、ＧＳＭ９００ＭＨｚ、ＤＣＳ１８００ＭＨｚ、ＰＣＳ１９００ＭＨｚの４つのマルチの周波数バンドのいずれかひとつの周波数バンドを使用するかを示している。このように上位ビット側のビット２７から下位ビット列のビット２までは、次の受信動作もしくは送信動作のためのＰＬＬ周波数シンセサイザの動作の準備に必要な種々の制御情報を含んでいる。尚、ＤＣＳはＤｉｇｉｔａｌ  Ｃｅｌｌｕｌａｒ  Ｓｙｓｔｅｍの略称、ＰＣＳはＰｅｒｓｏｎａｌ  Ｃｏｍｍｕｎｉｃａｔｉｏｎ  Ｓｙｓｔｅｍの略称である。
【００５６】
図４において、ワードＷＲＤ２の部分は、ウォームアップ状態３０５３から受信状態３０５４（Ｒｘ）への遷移命令のワードＷＲＤ２がビット３１からビット８からなる２４ビット長であることを示している。最上位ビットであるビット３１のＲ／Ｗ(リード／ライト)ビットは“０”（Ｗ（ライト)）となっており、ベースバンド信号処理ＬＳＩ４００からＲＦアナログ信号処理集積回路３００へ書き込まれる命令であることを示している。上位ビット側のビット３０からビット２８までの３ビットのビット列”０１０“は、この命令がワードＷＲＤ２であることを示すワードアドレスＷＲＤ＿ＡＤである。下位３ビット（ビット１０、ビット９、ビット８）は、ＲＦアナログ信号処理集積回路３００内部の送信受信制御サブユニット３１０のワードレジスタファイル３１０１（ＷＲＤＲＦ）中でこのワードＷＲＤ１の命令が使用可能な６本の２４ビット長のレジスタＲｅｇ．０〜Ｒｅｇ．５のアドレスとなっている。ワードＷＲＤ２の命令が使用可能な６本の２４ビット長のレジスタＲｅｇ．０〜Ｒｅｇ．５は、図５でワードＷＲＤ２の部分で示されている。１本目のレジスタＲｅｇ．０はひとつのタイムスロットをひとつの設定単位としてタイムスロットの設定動作を実行する第１の動作モードＦＯＰＭＯＤでのみ使用される。２本目から６本目のＲｅｇ．１〜Ｒｅｇ．５は複数のタイムスロットをひとつの設定単位としてタイムスロットの設定動作を実行する第２の動作モードＳＯＰＭＯＤでのみ使用される。この２本目から６本目のＲｅｇ．１〜Ｒｅｇ．５は、第２の動作モードＳＯＰＭＯＤの第１回目、第２回目、第３回目、第４回目、第５回目でそれぞれ決定されるタイムスロットでの受信状態への遷移命令のワードＷＲＤ２を格納するために使用されることができる。このように、下位３ビットのレジスタのアドレスＲＥＧ＿ＡＤは、ワードＷＲＤ２が使用するレジスタを指定する。また、レジスタのアドレスＲＥＧ＿ＡＤが、ワードＷＲＤ２がタイムスロットの設定動作を第１の動作モード（ＦＯＰＭＯＤ）と第２の動作モード（ＳＯＰＭＯＤ）とのいずれで実行するのかの設定ビット情報にもなっていることに注意されたい。
【００５７】
図４のワードＷＲＤ２の部分で、上位ビット側のビット２７からビット１１までの１８ビットのビット列は、ＲＦアナログ信号処理集積回路３００内部のＲＦ受信信号アナログ信号処理サブユニット３０１の種々の受信動作の条件を決定する。例えば、後で説明する図７に示すＲＦ受信信号アナログ信号処理サブユニット３０１内部の可変利得アンプ３０１４、３０１５の利得や周波数帯域などが上記１８ビットのビット列により決定される。
【００５８】
図４において、ワードＷＲＤ３の部分は、ウォームアップ状態３０５３から送信状態３０５５（Ｔｘ）への遷移命令のワードＷＲＤ３がビット３１からビット０からなる３２ビット長であることを示している。最上位ビットであるビット３１のＲ／Ｗ(リード／ライト)ビットは“０”（Ｗ（ライト)）となっており、ベースバンド信号処理ＬＳＩ４００からＲＦアナログ信号処理集積回路３００へ書き込まれる命令であることを示している。上位ビット側のビット３０からビット２８までの３ビットのビット列”０１１“は、この命令がワードＷＲＤ３であることを示すワードアドレスＷＲＤ＿ＡＤである。最下位ビットを含めた下位３ビット（ビット２、ビット１、ビット０）はＲＦアナログ信号処理集積回路３００内部の送信受信制御サブユニット３１０のワードレジスタファイル３１０１（ＷＲＤＲＦ）でこのワードＷＲＤ３の命令が使用可能な５本の３２ビット長のレジスタＲｅｇ．０〜Ｒｅｇ．４のアドレスとなっている。ワードＷＲＤ３の命令が使用可能な５本の３２ビット長のレジスタＲｅｇ．０〜Ｒｅｇ．３は、図５でワードＷＲＤ３の部分で示されている。１本目のレジスタＲｅｇ．０は、ひとつのタイムスロットをひとつの設定単位としてタイムスロットの設定動作を実行する第１の動作モードＦＯＰＭＯＤでのみ使用される。２本目から５本目のＲｅｇ．１〜Ｒｅｇ．４は、複数のタイムスロットをひとつの設定単位としてタイムスロットの設定動作を実行する第２の動作モードＳＯＰＭＯＤでのみ使用される。この２本目から５本目のＲｅｇ．１〜Ｒｅｇ．４は、第２の動作モードＳＯＰＭＯＤの第１回目、第２回目、第３回目、第４回目でそれぞれ決定されるタイムスロットでの送信状態への遷移命令のワードＷＲＤ３を格納するために使用されることができる。このように、最下位ビットを含めた下位３ビットのレジスタのアドレスＲＥＧ＿ＡＤは、ワードＷＲＤ３が使用するレジスタを指定する。また、レジスタのアドレスＲＥＧ＿ＡＤが、ワードＷＲＤ３がタイムスロットの設定動作を第１の動作モード（ＦＯＰＭＯＤ）と第２の動作モード（ＳＯＰＭＯＤ）とのいずれで実行するのかの設定ビット情報にもなっていることに注意されたい。
【００５９】
図４のワードＷＲＤ３の部分で、上位ビット側のビット２７から下位ビット側のビット３までの２５ビットのビット列は、ＲＦアナログ信号処理集積回路３００内部のＲＦ送信信号アナログ信号処理サブユニット３０２や送信用ＲＦ電力増幅器２０３の種々の送信動作の条件を決定する。例えば、このビット列は、後で説明する図７に示すＲＦ送信信号アナログ信号処理サブユニット３０２内部のＧＳＭ方式とＥＤＧＥ方式の通信の位相変調のための位相制御ループ３０２２（ＰＭ＿ＬＰ）の制御やＥＤＧＥ方式の通信の振幅変調のための振幅制御ループ３０２３（ＡＭ＿ＬＰ）の制御に使用される。さらに、このビット列は、送信用ＲＦ電力増幅器２０３の送信パワーのランプアップとランプダウンとの間の一定レベルの最大送信パワーのレベルの制御のためにも利用される。
【００６０】
図４において、ワードＷＲＤ４の部分は、アイドル状態３０５２（ＩＤＬ）への遷移命令のワードＷＲＤ４がビット３１からビット２８からなる４ビット長である。最上位ビットである３１ビットのＲ／Ｗ(リード／ライト)ビットは“０”（Ｗ（ライト)）となっており、ベースバンド信号処理ＬＳＩ４００からＲＦアナログ信号処理集積回路３００へ書き込まれる命令であることを示している。上位ビット側のビット３０からビット２８までの３ビットのビット列”１００“は、この命令がワードＷＲＤ４であることを示すワードアドレスＷＲＤ＿ＡＤである。上位ビット側のビット２７が”１”であればアイドル状態３０５２（ＩＤＬ）への遷移を示し、ビット２７が”０”であればソフトウェアリセット状態３０５１（ＲＳＴ）への遷移を示す。尚、本発明の好適な実施形態においては、このワードＷＲＤ４はタイムスロットの動作設定が複数のタイムスロットをひとつの設定単位としてタイムスロットの設定動作を実行する第２の動作モードＳＯＰＭＯＤでは使用されることがない。むしろ、このワードＷＲＤ４は、タイムスロットの動作設定をひとつのタイムスロットをひとつの設定単位として実行する第１の動作モードＦＯＰＭＯＤでのみ使用される。その理由のひとつは、このワードＷＲＤ４によって遷移されるアイドル状態３０５２の期間を、第２の動作モードＳＯＰＭＯＤにより複数のタイムスロットをひとつの設定単位とする動作設定の予約に有効に活用できるためである。尚、第２の動作モードＳＯＰＭＯＤにより複数のタイムスロットをひとつの設定単位とする動作設定の予約できる他の期間は、受信状態３０５４のひとつであるモニター状態（Ｍｘ）である。
【００６１】
尚、アイドル状態への遷移命令であるワードＷＲＤ４は、レジスタのアドレスＲＥＧ＿ＡＤを含まない。従って、図５に示すようにワードＷＲＤ４にはレジスタが割り当てられていないことに注意されたい。このワードＷＲＤ４のアイドル状態への遷移命令は第１の動作モードＦＯＰＭＯＤの時にのみ使用される。従って、ワードＷＲＤ４は、第２の動作モードＳＯＰＭＯＤのために設けられた図５の命令レジスタのアロケーション範囲外となっている。
【００６２】
図４において、ワードＷＲＤ６−１１の部分は、送信（ＴＸ）の変調制御命令のワードＷＲＤ６−１１がビット３１からビット８からなる２４ビット長である。最上位ビットであるビット３１のＲ／Ｗ(リード／ライト)ビットは“０”（Ｗ（ライト)）となっており、ベースバンド信号処理ＬＳＩ４００からＲＦアナログ信号処理集積回路３００へ書き込まれる命令であることを示している。上位ビット側のビット３０からビット２８までの３ビットのビット列” １１０ “とビット２７からビット２４までの４ビットのビット列”１０１１“とはそれぞれ、この命令がワードＷＲＤ６−１１であることを示すワードアドレスＷＲＤ＿ＡＤとワードサブアドレスＷＲＤ＿ＳｕｂＡＤとである。このワードＷＲＤ６−１１の送信（ＴＸ）の変調制御命令は、図１のＲＦアナログ信号処理集積回路３００内部のディジタルベースバンド変調器３０６（Ｄｉｇ＿ＭＯＤ）でのディジタルベースバンド送信信号ＴｘＤＢからディジタルベースバンド送信信号の直交成分ＴｘＤＢＩ、ＴｘＤＢＱを形成する機能を制御する。ＧＳＭ方式とＥＤＧＥ方式とでディジタル変調のスタートタイミング（ストローブタイミング）を調整するために、ワードＷＲＤ６−１１が利用される。アドレスＲＥＧ＿ＡＤのビット１６が”１”であればワードＷＲＤ６−１１が第１の動作モードＦＯＰＭＯＤで使用されることを示し、アドレスＲＥＧ＿ＡＤのビット１６が”０”であればワードＷＲＤ６−１１が第２の動作モードＳＯＰＭＯＤで使用されることを示す。ワードＷＲＤ６−１１の命令が使用可能な２本の２４ビット長のレジスタＲｅｇ．０〜Ｒｅｇ．１は、図５でワードＷＲＤ６−１１の部分で示されている。１本目のレジスタＲｅｇ．０は、ひとつのタイムスロットをひとつの設定単位としてタイムスロットの設定動作を実行する第１の動作モードＦＯＰＭＯＤでのみ使用される。２本目のＲｅｇ．１は、複数のタイムスロットをひとつの設定単位としてタイムスロットの設定動作を実行する第２の動作モードＳＯＰＭＯＤでのみ使用される。このように、ビット１６のレジスタのアドレスＲＥＧ＿ＡＤが、ワードＷＲＤ６−１１がタイムスロットの設定動作を第１の動作モード（ＦＯＰＭＯＤ）と第２の動作モード（ＳＯＰＭＯＤ）とのいずれで実行するのかの設定ビット情報にもなっていることに注意されたい。
【００６３】
図４において、ワードＷＲＤ６−１２の部分は、ランプ制御命令のワードＷＲＤ６−１２がビット３１からビット０からなる３２ビット長であることを示している。最上位ビットであるビット３１ビットのＲ／Ｗ(リード／ライト)ビットは“０”（Ｗ（ライト)）となっており、ベースバンド信号処理ＬＳＩ４００からＲＦアナログ信号処理集積回路３００へ書き込まれる命令であることを示している。上位ビット側のビット３０からビット２８までの３ビットのビット列” １１０ “とビット２７からビット２４までの４ビットのビット列”１１００“とはそれぞれ、この命令がワードＷＲＤ６−１２であることを示すワードアドレスＷＲＤ＿ＡＤとワードサブアドレスＷＲＤ＿ＳｕｂＡＤとである。このワードＷＲＤ６−１２のランプ制御命令は図１のフロントエンドモジュール２００でのアンテナスイッチ２０２が受信（ＲＸ）と送信（ＴＸ）のいずれに接続されるのかの制御とその接続遅延時間や、送信用ＲＦ電力増幅器２０３での送信パワーのランプアップとランプダウンとでのタイムマスク設定などを制御する。ＬＳＢを含めた下位４ビット（ビット３、ビット２、ビット１、ビット０）は、ＲＦアナログ信号処理集積回路３００内部の送信受信制御サブユニット３１０のワードレジスタファイル３１０１（ＷＲＤＲＦ）でこのワードＷＲＤ６−１２の命令が使用可能な８本の３２ビット長のレジスタＲｅｇ．０〜Ｒｅｇ．７のアドレスとなっている。ワードＷＲＤ６−１２の命令が使用可能な８本の３２ビット長のレジスタＲｅｇ．０〜Ｒｅｇ．７は、図５でワードＷＲＤ６−１２の部分で示されている。１本目のレジスタＲｅｇ．０は、ひとつの設定単位としてタイムスロットの設定動作を実行する第１の動作モードＦＯＰＭＯＤでのみ使用される。２本目から８本目のＲｅｇ．１〜Ｒｅｇ．４は、複数のタイムスロットをひとつの設定単位としてタイムスロットの設定動作を実行する第２の動作モードＳＯＰＭＯＤでのみ使用される。この２本目から８本目のＲｅｇ．１〜Ｒｅｇ．７は、第２の動作モードＳＯＰＭＯＤの第１回目、第２回目、第３回目、第４回目、第５回目、第６回目、第７回目でそれぞれ決定されるタイムスロットでの送信状態への遷移命令のワードＷＲＤ６−１２を格納するために使用されることができる。このように、最下位ビットを含めた下位４ビットのレジスタのアドレスＲＥＧ＿ＡＤが、ワードＷＲＤ６−１２がタイムスロットの設定動作を第１の動作モード（ＦＯＰＭＯＤ）と第２の動作モード（ＳＯＰＭＯＤ）とのいずれで実行するのかの設定ビット情報にもなっていることに注意されたい。
【００６４】
図４において、ワードＷＲＤ６−３、６−４、６−５の部分は、第２の動作モードＳＯＰＭＯＤでのストローブ信号（Ｓｔｒｂ）を用いたイベント制御命令のこれらのワードＷＲＤ６−３、６−４、６−５がビット３１からビット０からなる３２ビット長であることを示している。最上位ビットであるビット３１のＲ／Ｗ(リード／ライト)ビットは“０”（Ｗ（ライト)）となっており、ベースバンド信号処理ＬＳＩ４００からＲＦアナログ信号処理集積回路３００へ書き込まれる命令であることを示している。上位ビット側のビット３０からビット２８までの３ビットのビット列” １１０ “とビット２７からビット２４までの４ビットのビット列” ０ＸＸＸ“（Ｘ＝”０“またはＸ＝”１“）とはそれぞれ、この命令がワードＷＲＤ６−３、６−４、６−５であることを示すワードアドレスＷＲＤ＿ＡＤとワードサブアドレスＷＲＤ＿ＳｕｂＡＤとである。ワードＷＲＤ６−３、６−４、６−５の第２の動作モードＳＯＰＭＯＤでのストローブ信号（Ｓｔｒｂ）を用いたイベント制御命令では、ビット２３からビット２１の３ビットが、第２の動作モードＳＯＰＭＯＤでのストローブ信号（Ｓｔｒｂ）を用いたイベントで１回目に実行される命令のオペレーションコード情報となっている。このオペレーションコード情報は、１回目に実行される命令が、ＮＯＰ（Ｎｏ  Ｏｐｅｒａｔｉｏｎ）、ワードＷＲＤ１、ワードＷＲＤ２、ワードＷＲＤ３、ワードＷＲＤ４、ワードＷＲＤ６−１１、ワードＷＲＤ６−１２などのいずれなのかを示すことになっている。同様にこのイベント制御命令のビット２０からビット１８がイベントの２回目に実行される命令、…、ビット５からビット３がイベントの７回目に実行される命令、ビット２からビット０がイベントの８回目に実行される命令をそれぞれ示すことができる。それぞれ２４ビット長のオペレーションコード情報（３ビット情報８単位に対応）を持つ３個の命令のワードＷＲＤ６−３、６−４、６−５は全体で２４回の命令の指定が可能である。ワードＷＲＤ６−３、６−４、６−５の命令が使用可能な２４本の３２ビット長のレジスタＲｅｇ．０〜Ｒｅｇ．７、Ｒｅｇ．０〜Ｒｅｇ．７、Ｒｅｇ．０〜Ｒｅｇ．７は、図５でワードＷＲＤ６−３、６−４、６−５の部分で示されている。
【００６５】
以上説明したように、図５は、ＲＦアナログ信号処理集積回路３００内部の送信受信制御サブユニット３１０のワードレジスタファイル３１０１（ＷＲＤＲＦ）の中でタイムスロット設定に使用される種々の命令が使用可能なレジスタの構成を示している。尚、図５では、タイムスロットの設定動作を実行する第１の動作モードＦＯＰＭＯＤの時にのみ使用されるアイドル状態への遷移命令であるワードＷＲＤ４、コンフィギュレーション等の初期設定に使用される命令であるワードＷＲＤ５〜７にはレジスタが割り当てられていないことに注意されたい。これらの命令は第１の動作モードＦＯＰＭＯＤの時にのみ使用されるので、第２の動作モードＳＯＰＭＯＤのために設けられた図５の命令レジスタのアロケーション範囲外となっている。
【００６６】
≪タイムスロット設定による通信動作≫
図６は、本発明の好適な実施形態による第１の動作モードＦＯＰＭＯＤと２の動作モードＳＯＰＭＯＤとを用いたタイムスロット設定による通信動作を示す図である。
【００６７】
図６の上部で、Ｎ−１、Ｎ、Ｎ＋１はそれぞれフレームで、各フレームはＧＳＭ方式およびＥＤＧＥ方式の規格に従って８個のタイムスロットＳＬ０〜ＳＬ７により構成されている。各タイムスロットは、既に説明したようにアイドル状態（ＩＤＬ）、受信状態（ＲＸ、ＭＸ）、送信状態（ＴＸ）のいずれかに設定されることができる。送信状態（ＴＸ）の各タイムスロットにおいては、図１に示したフロントエンドモジュール２００の送信用ＲＦ電力増幅器２０３のＲＦパワー出力がランプアップされ、ランプダウンされている。
【００６８】
図６の中央部は、時分割マルチプルアクセス方式におけるタイムスロットの動作設定をひとつのタイムスロットをひとつの設定単位として第１の動作モードＦＯＰＭＯＤの時の動作を示している。ベースバンド信号処理ＬＳＩ４００からディジタル信号経路Ｌ１を介して第１インターフェース３１１に供給される制御データ（ＣｔｒｌＤａｔａ）としては、以下の命令がある。それは、ワードＷＲＤ１、ワードＷＲＤ２、ワードＷＲＤ３、ワードＷＲＤ４、ワードＷＲＤ６−１１、ワードＷＲＤ６−１２の命令である。ワードＷＲＤ１は、ウォームアップ状態３０５３への遷移命令である。ワードＷＲＤ２は、受信状態３０５４（ＲＸ、ＭＸ）へ遷移命令である。ワードＷＲＤ３は、送信状態３０５５（Ｔｘ）への遷移命令である。ワードＷＲＤ４は、アイドル状態３０５２（ＩＤＬ）への遷移命令である。ワードＷＲＤ６−１１は、送信（ＴＸ）の変調制御命令である。ワードＷＲＤ６−１２は、ランプ制御命令である。その命令のいくつかが、ＲＦアナログ信号処理集積回路３００に供給される。また、ディジタル信号経路Ｌ２、Ｌ３を介して制御クロック（ＣｔｒｌＣＬｋ）、制御イネーブル信号（Ｃｔｒｌｌ  Ｅｎ）が、それぞれベースバンド信号処理ＬＳＩ４００から供給される。また、双方向ディジタル信号経路Ｌ５を介して、ベースバンド信号処理ＬＳＩ４００とＲＦアナログ信号処理集積回路３００との間でベースバンド送受信信号（ＢＢ  Ｒｘ／Ｔｘ）が伝達される。
【００６９】
フレームＮ−１の第８タイムスロット（ＳＬ７）は、その前の第７タイムスロット（ＳＬ６）でアイドル状態を指示されたので、アイドル状態（ＩＤＬ）に動作設定されている。このアイドル状態（ＩＤＬ）の第８タイムスロット（ＳＬ７）の間に、後のフレームＮの第４タイムスロット（ＳＬ３）以降での送信動作（ＴＸ）のために双方向ディジタル信号経路Ｌ５を介して、ベースバンド信号処理ＬＳＩ４００からＲＦアナログ信号処理集積回路３００にベースバンド送信信号（ＢＢ  Ｔｘ）が伝達される。この伝達されたベースバンド送信信号（ＢＢ  Ｔｘ）は、ＲＦアナログ信号処理集積回路３００内部のＳＲＡＭ（図１では図示せず）中に格納される。フレームＮ−１のアイドル状態（ＩＤＬ）の第８タイムスロット（ＳＬ７）の後半で印加されたワードＷＲＤ１とワードＷＲＤ２とに応答してフレームＮの第１タイムスロット（ＳＬ０）の動作は、受信状態（ＲＸ）に設定される。すると、ＲＦアナログ信号処理集積回路３００は基地局からのＲＦ送信信号を受信して、双方向ディジタル信号経路Ｌ５を介してベースバンド信号処理ＬＳＩ４００にベースバンド受信信号（ＢＢ  Ｒｘ）を供給する。第２タイムスロット（ＳＬ１）でワードＷＲＤ４の後に印加されたワードＷＲＤ１とワードＷＲＤ２とに応答してフレームＮの第２タイムスロット（ＳＬ１）の動作は、受信状態（ＭＸ）に設定される。この受信状態（ＭＸ）はバーチャルな受信状態であるモニター状態（Ｍｘ）であるので、この第２タイムスロット（ＳＬ１）では双方向ディジタル信号経路Ｌ５を介してベースバンド信号処理ＬＳＩ４００にベースバンド受信信号（ＢＢ  Ｒｘ）が供給されていない。フレームＮの第３タイムスロット（ＳＬ２）では後の第４タイムスロット（ＳＬ３）の動作を送信状態（ＴＸ）に遷移させるために、アイドル状態への遷移命令であるワードＷＲＤ４とウォームアップ状態への遷移命令であるワードＷＲＤ１とが印加されている。これは、既に説明したように、タイムスロットの動作設定では受信状態と送信状態との間の直接遷移は不可能となっているためである。第３タイムスロット（ＳＬ２）の後半に送信状態Ｔｘへの遷移命令であるワードＷＲＤ３が印加されることによって、第４タイムスロット（ＳＬ３）の動作は送信状態（ＴＸ）に設定され、さらに送信（ＴＸ）の変調制御命令のワードＷＲＤ６−１１とランプ制御命令のワードＷＲＤ６−１２とが印加されて送信動作が実行される。以降の第５タイムスロット（ＳＬ４）、第６タイムスロット（ＳＬ５）、第７タイムスロット（ＳＬ６）でも３回の送信動作が実行された後、第７タイムスロット（ＳＬ６）の後半に印加されたアイドル状態への遷移命令であるワードＷＲＤ４に応答して第８タイムスロット（ＳＬ７）の動作はアイドル状態（ＩＤＬ）に遷移する。
【００７０】
図６の中央部に示したタイムスロットの設定動作がＴＤＭＡ方式におけるタイムスロットの動作設定をひとつのタイムスロットをひとつの設定単位として実行する第１の動作モードＦＯＰＭＯＤの際には、フレームＮ−１の第８タイムスロット（ＳＬ７）からフレームＮの第７タイムスロット（ＳＬ６）までの各タイムスロットでベースバンド信号処理ＬＳＩ４００は比較的重いジョブを処理することになる。このジョブは、ベースバンド信号処理ＬＳＩ４００が、ＲＦアナログ信号処理集積回路３００内部の送信受信制御サブユニット３１０に各種の命令コードだけでなく下記のような種々かつ大量の命令実行のための制御情報を供給する必要がある。その一つ目は、受信動作のためのワードＷＲＤ２のＲＦ受信信号アナログ信号処理サブユニット３０１内部の可変利得アンプ３０１４、３０１５の利得や周波数帯域などの制御情報である。その二つ目は、送信動作のためのＷＲＤ３のＲＦ送信信号アナログ信号処理サブユニット３０２内部のＧＳＭ方式とＥＤＧＥ方式の通信の位相変調のための位相制御ループ３０２２（ＰＭ＿ＬＰ）の制御情報である。その二つ目として、さらにＥＤＧＥ方式の通信の場合には、振幅変調のための振幅制御ループ３０２３（ＡＭ＿ＬＰ）の制御や送信用ＲＦ電力増幅器２０３の送信パワーのランプアップとランプダウンとの間の一定レベルの最大送信パワーのレベルの制御のための制御情報もある。その三つ目は、送信（ＴＸ）の変調制御命令のワードＷＲＤ６−１１のＧＳＭ方式とＥＤＧＥ方式とでディジタル変調のスタートタイミング（ストローブタイミング）の制御情報である。その四つ目は、ランプ制御命令のワードＷＲＤ６−１２のアンテナスイッチ２０２が受信（ＲＸ）と送信（ＴＸ）のいずれに接続されるのかの制御とその接続遅延時間や、送信用ＲＦ電力増幅器２０３での送信パワーのランプアップとランプダウンとでのタイムマスク設定などの制御情報である。
【００７１】
受信の場合、ベースバンド信号処理ＬＳＩ４００は各受信のタイムスロットで、受信ベースバンド信号に関してはディジタルシグナルプロセッサ（ＤＳＰ）によるＧＳＭ方式の位相復調とＥＤＧＥ方式の振幅復調を実行する必要がある。送信の場合、ベースバンド信号処理ＬＳＩ４００は各送信のタイムスロットで、送信ベースバンド信号に関してはディジタルシグナルプロセッサ（ＤＳＰ）によるＧＳＭ方式の位相変調とＥＤＧＥ方式の振幅変調とを実行する必要がある。
【００７２】
これに対して、ＴＤＭＡ方式におけるタイムスロットの動作設定が複数のタイムスロットをひとつの設定単位として実行する第２の動作モードＳＯＰＭＯＤを採用することにより、ＲＦアナログ信号処理集積回路３００内部の送信受信制御サブユニット３１０への各種の命令コードと種々の制御情報の供給のジョブの負担を軽減することができる。図６の下部は、時分割マルチプルアクセス方式におけるタイムスロットの動作設定を複数のタイムスロットをひとつの設定単位とした第２の動作モードＳＯＰＭＯＤの時の動作を示している。図６の中央部で示されたＷＲＤ１、ＷＲＤ２、ＤＷＲＤ４、……ＷＲＤ６−１１、ＷＲＤ６−１２等の全ての命令とそれに関係する制御情報（Ａ）が、アイドル状態（ＩＤＬ）に設定されたフレームＮ−１の第８タイムスロット（ＳＬ７）の間にベースバンド信号処理ＬＳＩ４００からＲＦアナログ信号処理集積回路３００内部の送信受信制御サブユニット３１０へ供給される。その直後に、複数の命令の実行順序の情報ＷＲＤ６−３、６−４、６−５（Ｂ）が、アイドル状態（ＩＤＬ）に設定されたフレームＮ−１の第８タイムスロット（ＳＬ７）の間にベースバンド信号処理ＬＳＩ４００からＲＦアナログ信号処理集積回路３００内部の送信受信制御サブユニット３１０へ供給される。ベースバンド信号処理ＬＳＩ４００はアイドル状態（ＩＤＬ）に設定されたフレームＮ−１の第８タイムスロット（ＳＬ７）の間ではジョブが軽いので、全ての命令とそれに関係する制御情報と複数の命令の実行順序の情報をＲＦアナログ信号処理集積回路３００に比較的容易に供給することができる。このようにして、アイドル状態（ＩＤＬ）に設定されたフレームＮ−１の第８タイムスロット（ＳＬ７）の間に、ＲＦアナログ信号処理集積回路３００内部の送信受信制御サブユニット３１０のワードレジスタファイル３１０１（ＷＲＤＲＦ）中に全ての命令とそれに関係する制御情報と複数の命令の実行順序の情報が予約されることができる。その後、フレームＮの第１から第８のタイムスロット（ＳＬ０〜７）までで予約した命令を実際に実行すべきタイミングを示すストローブ信号（Ｓｔｒｂ）だけをディジタル信号経路Ｌ４を介してベースバンド信号処理ＬＳＩ４００から送信受信制御サブユニット３１０へ供給することにより、各タイムスロットで予約された命令が実行される。
【００７３】
≪動作設定されるフロントエンドモジュール２００とＲＦアナログ信号処理集積回路３００≫
図７は、本発明の好適な実施形態により第１の動作モードＦＯＰＭＯＤと第２の動作モードＳＯＰＭＯＤとでタイムスロットの設定動作が制御されるフロントエンドモジュール２００とＲＦアナログ信号処理集積回路３００の詳細を示す図である。
【００７４】
同図において、集積回路３００の外部の水晶振動子５０１（Ｘｔａｌ）によって発振周波数が安定に維持されたシステム基準クロック発振器３１４（ＤＣＸＯ）のシステム基準クロック信号ＳｙｓＣＬｋが印加された周波数シンセサイザ３０３はＲＦ発振器３０４（ＲＦＶＣＯ）の周波数も安定に維持する。ＲＦ発振器３０４（ＲＦＶＣＯ）のＲＦ出力が分周器３０５（１／Ｍ）に供給されることにより、分周器３０５（１／Ｍ）の出力からＲＦ信号ΦＲＦが得られる。ＲＦ信号ΦＲＦは、ＲＦアナログ信号処理集積回路３００（ＲＦ＿ＩＣ）内部のＲＦ受信信号アナログ信号処理サブユニット３０１（ＲＸ  ＳＰＵ）とＲＦ送信信号アナログ信号処理サブユニット３０２（ＴＸ  ＳＰＵ）とに供給される。
【００７５】
受信状態に設定されたタイムスロットでは、フロントエンドモジュール２００（ＦＥＭ）のアンテナスイッチ２０１（ＡＮＴ＿ＳＷ）は上側に接続される。従って、アンテナ１００で受信されたＲＦ受信信号は、例えば表面弾性波デバイスによる受信フィルタ２０２（ＳＡＷ）を介してＲＦ受信信号アナログ信号処理サブユニット３０１（ＲＸ  ＳＰＵ）のローノイズアンプ３０１１（ＬＮＡ）の入力に供給される。このローノイズアンプ３０１１（ＬＮＡ）のＲＦ増幅出力信号は、受信ミキサー３０１２を構成する二つの混合回路ＲＸ−ＭＩＸ＿Ｉ、ＲＸ−ＭＩＸ＿Ｑの一方の入力に供給される。二つの混合回路ＲＸ−ＭＩＸ＿Ｉ、ＲＸ−ＭＩＸ＿Ｑの他方の入力には、分周器３０５（１／Ｍ）からのＲＦ信号ΦＲＦに基づいて９０°位相器３０１４（９０Ｄｅｇ）で形成された９０°位相を有するふたつのＲＦ受信キャリア信号が供給される。その結果、受信ミキサー３０１２の混合回路ＲＸ−ＭＩＸ＿Ｉ、ＲＸ−ＭＩＸ＿ＱではＲＦ受信信号周波数からベースバンド信号周波数へのダイレクトダウン周波数コンバージョンが実行されて、出力から受信アナログベースバンド信号ＲｘＡＢＩ、ＲｘＡＢＱが得られる。この受信アナログベースバンド信号ＲｘＡＢＩ、ＲｘＡＢＱは受信タイムスロット設定で利得が調整された可変利得アンプ３０１４、３０１５で増幅された後、図１に示したアナログベースバンド受信信号Ｉ用のＡ／Ｄ変換器３０３（Ｉ＿ＡＤＣ）とアナログベースバンド受信信号Ｑ用のＡ／Ｄ変換器３０４（Ｑ＿ＡＤＣ）の入力に供給される。
【００７６】
送信状態に設定されたタイムスロットでは、図１に示したディジタルベースバンド送信信号Ｉ用のＤ／Ａ変換器３０７（Ｉ＿ＤＡＣ）と送信信号Ｑ用のＤ／Ａ変換器３０８（Ｑ＿ＤＡＣ）の出力のアナログベースバンド送信信号ＴｘＡＢＩ、ＴｘＡＢＱが図７の送信ミキサー３０２１の二つの混合回路ＴＸ−ＭＩＸ＿Ｉ、ＴＸ−ＭＩＸ＿Ｑの一方の入力に供給される。分周器３０５（１／Ｍ）の出力からのＲＦ信号ΦＲＦが他の分周器３０２２（１／Ｎ）で分周されることにより、約８０ＭＨｚの中間周波数（以下、ＩＦと称す）の信号ΦＩＦが得られる。このＩＦ信号ΦＩＦに基づいて９０°位相器３０２３（９０Ｄｅｇ）で形成された９０°位相を有するふたつのＩＦ送信キャリア信号が二つの混合回路ＴＸ−ＭＩＸ＿Ｉ、ＴＸ−ＭＩＸ＿Ｑの他方の入力に供給される。その結果、送信ミキサー３０２１の混合回路ＴＸ−ＭＩＸ＿Ｉ、ＴＸ−ＭＩＸ＿Ｑではアナログベースバンド送信信号の周波数からＩＦ送信信号への周波数アップコンバージョンが実行され、加算器３０３３からベクトル合成されたひとつのＩＦ送信信号が得られる。加算器３０３３からのＩＦ送信信号はＲＦ送信信号アナログ信号処理サブユニット３０２（ＴＸ  ＳＰＵ）の位相変調成分の送信のためのＰＭループ回路３０２２（ＰＭ  ＬＰ）を構成する位相比較器ＰＣの一方の入力に供給されている。ＰＭループ回路３０２２（ＰＭ  ＬＰ）では、位相比較器ＰＣの出力はチャージポンプＣＰとローパスフィルタＬＦとを介して送信用発振器ＴＸＶＣＯの制御入力に伝達される。送信用発振器ＴＸＶＣＯの出力はＰＭループ用周波数ダウンミキサーＤＷＮ＿ＭＩＸ＿ＰＭの入力に供給されることにより、ＤＷＮ＿ＭＩＸ＿ＰＭの出力のＩＦ送信位相帰還信号が得られる。送信タイムスロットがＧＳＭ方式の時には、このＩＦ送信位相帰還信号がスイッチＳＷ＿１を介してＰＭループ回路３０２２（ＰＭ  ＬＰ）を構成する位相比較器ＰＣの他方の入力に供給される。この結果、送信用ＲＦ電力増幅器２０３の出力の送信パワー信号はＧＳＭ方式の正確な位相変調情報を含むようになる。一方、送信タイムスロットがＧＳＭ方式の時は、ＲＦアナログ信号処理集積回路３００内部のランプ信号Ｄ／Ａ変換器３０９（Ｒａｍｐ  ＤＡＣ）の出力電圧ＶｒａｍｐがスイッチＳＷ２を介して１０ＭＨｚフィルタ３１５に供給される。このフィルタ３１５からの自動パワー制御電圧Ｖａｐｃによる電源電圧制御もしくはバイアス電圧制御によって送信用ＲＦ電力増幅器２０３の増幅ゲインは基地局と携帯通信端末装置との距離に比例して設定される。
【００７７】
一方、送信タイムスロットがＥＤＧＥ方式の時は、加算器３０３３からＩＦ送信信号は位相変調情報だけではなく振幅変調情報も含むことになる。従って、この時には、加算器３０３３からＩＦ送信信号はＰＭループ回路３０２２（ＰＭ  ＬＰ）を構成する位相比較器ＰＣの一方の入力に供給されだけではなく、ＡＭループ回路３０２３（ＡＭ  ＬＰ）を構成する振幅比較器ＡＣの一方の入力に供給される。この時には、位相比較器ＰＣの他方の入力には、送信用発振器ＴＸＶＣＯの出力がＰＭループ用周波数ダウンミキサーＤＷＮ＿ＭＩＸ＿ＰＭの入力に供給されるのではない。むしろ、送信用ＲＦ電力増幅器２０３の送信パワーに関係する情報が、パワー検出器ＰＤＥＴ、可変利得回路ＭＶＧＡ、ＡＭループ用周波数ダウンミキサーＤＷＮ＿ＭＩＸ＿ＡＭを介して位相比較器ＰＣの他方の入力に供給されることとなる。また、ＡＭループ回路３０２３（ＡＭ  ＬＰ）を構成する振幅比較器ＡＣの他方の入力にも、送信用ＲＦ電力増幅器２０３の送信パワーに関係する情報がパワー検出器ＰＤＥＴ、可変利得回路ＭＶＧＡ、ＡＭループ用周波数ダウンミキサーＤＷＮ＿ＭＩＸ＿ＡＭを介して供給されることとなる。ＡＭループ回路３０２３（ＡＭ  ＬＰ）では、振幅比較器ＡＣの出力はローパスフィルタＬＦ、可変利得回路ＩＶＧＡ、電圧・電流変換器Ｖ／Ｉ、チャージポンプＣＰ、スイッチＷＳ２を介して１０ＭＨｚフィルタ３１５に供給される。この結果、まずＰＭループ回路３０２２（ＰＭ  ＬＰ）によって、送信用発振器ＴＸＶＣＯのＲＦ発振出力信号を増幅する送信用ＲＦ電力増幅器２０３の出力の送信パワー信号はＥＤＧＥ方式の正確な位相変調情報を含むようになる。さらに、ＡＭループ回路３０２３（ＡＭ  ＬＰ）によって、送信用ＲＦ電力増幅器２０３の出力の送信パワー信号はＥＤＧＥ方式の正確な振幅変調情報を含むようになる。
【００７８】
尚、送信用ＲＦ電力増幅器２０３の送信パワーを検出するパワー検出器ＰＤＥＴとしては、ＲＦ電力増幅器２０３の送信パワーを電磁気的もしくは容量的に検出するカップラー形検出器を採用することができる。このパワー検出器ＰＤＥＴとしては、それ以外に、カレントセンス形検出器も採用することができる。このカレントセンス形検出器は、ＲＦ電力増幅器２０３の最終段パワー増幅素子のＤＣ・ＡＣ動作電流に比例する小さな検出ＤＣ・ＡＣ動作電流を検出増幅素子に流すものである。
【００７９】
図７のＲＦアナログ信号処理集積回路３００では、ランプ信号Ｄ／Ａ変換器３０９（Ｒａｍｐ  ＤＡＣ）の出力Ｖｒａｍｐに応答するＡＭループ回路３０２３（ＡＭ  ＬＰ）の二つの可変利得回路ＭＶＧＡ、ＩＶＧＡの利得は逆方向となるように、制御回路３１４（ＣＮＴＬ）が二つの制御信号を生成している。すなわち、出力Ｖｒａｍｐに応答して可変利得回路ＭＶＧＡの利得が減少する時は、可変利得回路ＩＶＧＡの利得が増加することで、二つの可変利得回路ＭＶＧＡ、ＩＶＧＡの利得の和がほぼ一定となる。この結果、ＡＭループ回路３０２３のオープンループ周波数特性での位相余裕が出力Ｖｒａｍｐに応答して著しく小さくなることを軽減している。
【００８０】
以上説明したように、ＧＳＭ方式と比較してＥＤＧＥ方式は、送受信のいずれにおいても、位相変調情報だけでなく振幅変調情報も含むこととなる。その結果、ＴＤＭＡ方式のタイムスロットの動作設定を行う際の制御情報も、ＧＳＭ方式と比較してＥＤＧＥ方式は増加することになる。このタイムスロットの設定動作での制御情報が多くなるＥＤＧＥ方式の通信をサポートする際にも、本発明の好適な実施形態による第２の動作モードＳＯＰＭＯＤの採用によってＲＦアナログ信号処理集積回路３００内部の送信受信制御サブユニット３１０への各種の命令コードと種々の制御情報の供給のジョブの負担を軽減することができる。
【００８１】
≪その他のタイムスロット設定≫
図８は、第２の動作モードＳＯＰＭＯＤによる全ての命令とそれに関係する制御情報と複数の命令の実行順序の情報が、フレームＮ−１の第８タイムスロット（ＳＬ７）がアイドル状態（ＩＤＬ）以外にもバーチャルな受信状態であるモニター状態（Ｍｘ）でも同様に予約できることを示している。このバーチャルな受信状態であるモニター状態（Ｍｘ）でもベースバンド信号処理ＬＳＩ４００での元々のジョブが軽いためである。
【００８２】
図９は、先行フレームＮと後続フレームＮ＋１との複数のタイムスロットでの全ての命令とそれに関係する制御情報と複数の命令の実行順序の情報が、先行フレームＮのアイドル状態（ＩＤＬ）に設定された第５タイムスロット（ＳＬ４）でも同様に予約できることを示している。
【００８３】
以上本発明者によってなされた発明を実施形態に基づいて具体的に説明したが、本発明はそれに限定されるものではなく、その要旨を逸脱しない範囲において種々変更可能であることは言うまでもない。
【００８４】
例えば、図７ではＥＤＧＥ方式の送信タイムスロットでの振幅変調成分の送信をフィルタ３１５からの自動パワー制御電圧Ｖａｐｃによる送信用ＲＦ電力増幅器２０３の電源電圧制御もしくはバイアス電圧制御によって送信用ＲＦ電力増幅器２０３の増幅ゲインを設定すると言うＰｏｌａｒ  Ｌｏｏｐ方式が採用されている。しかし、このＰｏｌａｒ  Ｌｏｏｐ方式に限定されることなく、送信用ＲＦ電力増幅器２０３の入力に可変アッテネータもしくは可変利得回路を配置して、この可変アッテネータもしくは可変利得回路の利得をフィルタ３１５からの自動パワー制御電圧Ｖａｐｃにより設定するＰｏｌａｒ  Ｍｏｄｕｌａｔｏｒ方式を採用できることは言うまでもない。
【００８５】
さらに、パッケージの放熱構造の改良などによって、ベースバンド信号処理ＬＳＩ４００とアプリケーションプロセッサ５１０とＲＦアナログ信号処理ユニット３００とが統合された統合ワンチップ中に、送信用ＲＦ電力増幅器２０３も更に統合されることも可能であろう。
【図面の簡単な説明】
【００８６】
【図１】本発明の一つの実施形態によるモバイル端末装置の全体構成を示す図である。
【図２】図１に示した本発明の一つの実施形態によるベースバンド信号処理ＬＳＩ４００が第１外部バス５０６を介して第１外部メモリ５０７とアプリケーションプロセッサ５１０とに接続されることを示す図である。
【図３】本発明の実施形態での時分割マルチプルアクセス方式による通信方式によるＲＦアナログ信号処理集積回路３００のひとつのタイムスロットで設定されることができる複数の動作を示す状態遷移図である。
【図４】本発明の実施形態での時分割マルチプルアクセス方式による通信方式によるＲＦアナログ信号処理集積回路３００でのタイムスロット設定で使用される命令コードと制御情報とを含んだ複数のワードのビット構成を示す図である。
【図５】本発明の実施形態でのＲＦアナログ信号処理集積回路３００の内部の送信受信制御サブユニット３１０のワードレジスタファイル３１０１の中でタイムスロット設定に使用される種々の命令が使用可能なレジスタの構成を示す図である。
【図６】本発明の好適な実施形態による第１の動作モードと２の動作モードとを用いたタイムスロット設定による通信動作を示す図である。
【図７】本発明の好適な実施形態により第１の動作モードと第２の動作モードとでタイムスロットの設定動作が制御されるフロントエンドモジュール２００とＲＦアナログ信号処理集積回路３００の詳細を示す図である。
【図８】本発明の他の実施形態による第１の動作モードと第２の動作モードとを用いたタイムスロット設定による通信動作を示す図である。
【図９】本発明の更にその他の実施形態による第１の動作モードと第２の動作モードとを用いたタイムスロット設定による通信動作を示す図である。
【符号の説明】
【００８７】
１００  アンテナ
２００  フロントエンドモジュール
３００  ＲＦアナログ信号処理集積回路
３１０  送信受信制御サブユニット
３０１  ＲＦ受信信号アナログ信号処理サブユニット
３０２  ＲＦ送信信号アナログ信号処理サブユニット
３１１  第１インターフェース
３１２  第１インターフェース
４００  ベースバンド信号処理ＬＳＩ４００
【図１】
2007134928.tif 000003
【図２】
2007134928.tif 000004
【図３】
2007134928.tif 000005
【図４】
2007134928.tif 000006
【図５】
2007134928.tif 000007
【図６】
2007134928.tif 000008
【図７】
2007134928.tif 000009
【図８】
2007134928.tif 000010
【図９】
2007134928.tif 000011